(57)【要約】【構成】光学／撮像系１２ａおよび１２ｂは、互いに異なる態様で発光するビデオライト３８およびストロボ４０にそれぞれ対応する。ＣＰＵ３４は、動画撮像モードおよび静止画撮像モードのうち所望の撮像モードを選択し、ビデオライト３８およびストロボ４０のうち選択された撮像モードに対応する発光装置を駆動し、そして駆動された発光装置に対応する光学／撮像系で捉えられたシーンを表す画像データをメモリＩ／Ｆ２８を通して記録媒体３０に記録する。【効果】記録画像の品質が向上する。【選択図】図２
2012227894.tif 000002
【特許請求の範囲】
【請求項１】
互いに異なる態様で発光する複数の発光手段、
前記複数の発光手段にそれぞれ対応する複数の光学系、
互いに異なる態様でシーンを捉える複数の撮像モードの中から所望の撮像モードを選択する選択手段、
前記複数の発光手段のうち前記選択手段によって選択された撮像モードに対応する発光手段を駆動する駆動手段、および
前記複数の光学系のうち前記駆動手段によって駆動された発光手段に対応する光学系を経由した光学像に基づいて電子画像を作成する作成手段を備える、電子カメラ。
【請求項２】
前記複数の発光手段と前記複数の光学系との間の対応関係をユーザ操作に応じて変更する変更手段、および
前記シーンの明るさが基準以下のとき前記変更手段の変更処理を制限する制限手段をさらに備える、請求項１記載の電子カメラ。
【請求項３】
前記複数の光学系は前記シーンを重複して捉えるようにカメラ筐体の互いに異なる複数の位置に設けられる、請求項１または２記載の電子カメラ。
【請求項４】
前記複数の撮像モードは、前記シーンを継続的に捉える動画撮像モード、および前記シーンを瞬間的に捉える静止画撮像モードを含み、
前記複数の発光手段は、継続的に光を発生する第１発生手段、および瞬間的に光を発生する第２発生手段を含み、
前記駆動手段は、前記動画撮像モードに対応して前記第１発生手段を駆動する第１駆動手段、および前記静止画撮像モードに対応して前記第２発生手段を駆動する第２駆動手段を含む、請求項１ないし３のいずれかに記載の電子カメラ。
【請求項５】
前記選択手段は前記動画撮像モードの選択／非選択に関わらず前記静止画撮像モードの選択を受け付け、
前記作成手段は前記静止画撮像モードの下で捉えられたシーンを表す静止画像を前記静止画撮像モードと並列する前記動画撮像モードの下で捉えられたシーンを表す動画像に割り当てる割り当て手段を含む、請求項４記載の電子カメラ。
【請求項６】
前記静止画像モードの下で前記シーンが捉えられるタイミングで前記第１発光手段を停止する停止手段をさらに備える、請求項５記載の電子カメラ。
【請求項７】
前記静止画撮像モードの選択に対応して前記第１発生手段を駆動する第３駆動手段をさらに備える、請求項４ないし６のいずれかに記載の電子カメラ。
【請求項８】
互いに異なる態様で発光する複数の発光手段、および前記複数の発光手段にそれぞれ対応する複数の光学系を備える電子カメラのプロセッサに、
互いに異なる態様でシーンを捉える複数の撮像モードの中から所望の撮像モードを選択する選択ステップ、
前記複数の発光手段のうち前記選択ステップによって選択された撮像モードに対応する発光手段を駆動する駆動ステップ、および
前記複数の光学系のうち前記駆動ステップによって駆動された発光手段に対応する光学系を経由した光学像に基づいて電子画像を作成する作成ステップを実行させるための、撮像制御プログラム。
【請求項９】
互いに異なる態様で発光する複数の発光手段、および前記複数の発光手段にそれぞれ対応する複数の光学系を備える電子カメラによって実行される撮像制御方法であって、
互いに異なる態様でシーンを捉える複数の撮像モードの中から所望の撮像モードを選択する選択ステップ、
前記複数の発光手段のうち前記選択ステップによって選択された撮像モードに対応する発光手段を駆動する駆動ステップ、および
前記複数の光学系のうち前記駆動ステップによって駆動された発光手段に対応する光学系を経由した光学像に基づいて電子画像を作成する作成ステップを備える、撮像制御方法。
【請求項１０】
互いに異なる態様で発光する複数の発光手段、
前記複数の発光手段にそれぞれ対応する複数の光学系、および
メモリに保存された内部制御プログラムに従う処理を実行するプロセッサを備える電子カメラに供給される外部制御プログラムであって、
互いに異なる態様でシーンを捉える複数の撮像モードの中から所望の撮像モードを選択する選択ステップ、
前記複数の発光手段のうち前記選択ステップによって選択された撮像モードに対応する発光手段を駆動する駆動ステップ、および
前記複数の光学系のうち前記駆動ステップによって駆動された発光手段に対応する光学系を経由した光学像に基づいて電子画像を作成する作成ステップを前記内部制御プログラムと協働して前記プロセッサに実行させるための、外部制御プログラム。
【請求項１１】
互いに異なる態様で発光する複数の発光手段、
前記複数の発光手段にそれぞれ対応する複数の光学系、
外部制御プログラムを取り込む取り込み手段、および
前記取り込み手段によって取り込まれた外部制御プログラムとメモリに保存された内部制御プログラムとに従う処理を実行するプロセッサを備える電子カメラであって、
前記外部制御プログラムは、
互いに異なる態様でシーンを捉える複数の撮像モードの中から所望の撮像モードを選択する選択ステップ、
前記複数の発光手段のうち前記選択ステップによって選択された撮像モードに対応する発光手段を駆動する駆動ステップ、および
前記複数の光学系のうち前記駆動ステップによって駆動された発光手段に対応する光学系を経由した光学像に基づいて電子画像を作成する作成ステップを前記内部制御プログラムと協働して実行するプログラムに相当する、電子カメラ。
【発明の詳細な説明】
【技術分野】
【０００１】
この発明は、電子カメラに関し、特に複数の光学系をそれぞれ経由した複数の光学像に基づいて電子画像を作成する、電子カメラに関する。
【背景技術】
【０００２】
この種のカメラの一例が、特許文献１に開示されている。この背景技術によれば、モード選択スイッチによって３次元撮影モードが選択されると、２つの映像信号処理回路の出力がＶＴＲ部へ供給され、３次元映像信号として記録される。一方、モード選択スイッチによって２次元撮影モードが選択されると、一方の映像信号処理回路の出力のみがＶＴＲ部へ供給され、２次元映像信号として記録される。
【先行技術文献】
【特許文献】
【０００３】
【特許文献１】特開平７−２７４２１３号公報
【発明の概要】
【発明が解決しようとする課題】
【０００４】
しかし、背景技術では、被写体に向けて光を照射するライトが設けられることはなく、ライトの駆動態様が撮影モードに応じて切り換えられることもない。このため、背景技術では、記録される映像信号の品質に限界がある。
【０００５】
それゆえに、この発明の主たる目的は、電子画像の品質を高めることができる、電子カメラを提供することである。
【課題を解決するための手段】
【０００６】
この発明に従う電子カメラ(10：実施例で相当する参照符号。以下同じ)は、互いに異なる態様で発光する複数の発光手段(38, 40)、複数の発光手段にそれぞれ対応する複数の光学系(121a~122a, 121b~122b)、互いに異なる態様でシーンを捉える複数の撮像モードの中から所望の撮像モードを選択する選択手段(S17, S31)、複数の発光手段のうち選択手段によって選択された撮像モードに対応する発光手段を駆動する駆動手段(S55, S65)、および複数の光学系のうち駆動手段によって駆動された発光手段に対応する光学系を経由した光学像に基づいて電子画像を作成する作成手段(S35~S41)を備える。
【０００７】
好ましくは、複数の発光手段と複数の光学系との間の対応関係をユーザ操作に応じて変更する変更手段(S9)、およびシーンの明るさが基準以下のとき変更手段の変更処理を制限する制限手段(S3)がさらに備えられる。
【０００８】
好ましくは、複数の光学系はシーンを重複して捉えるようにカメラ筐体(CB1)の互いに異なる複数の位置に設けられる。
【０００９】
好ましくは、複数の撮像モードは、シーンを継続的に捉える動画撮像モード、およびシーンを瞬間的に捉える静止画撮像モードを含み、複数の発光手段は、継続的に光を発生する第１発生手段(38)、および瞬間的に光を発生する第２発生手段(40)を含み、駆動手段は、動画撮像モードに対応して第１発生手段を駆動する第１駆動手段(S51~S53)、および静止画撮像モードに対応して第２発生手段を駆動する第２駆動手段(S59~S61)を含む。
【００１０】
さらに好ましくは、選択手段は動画撮像モードの選択／非選択に関わらず静止画撮像モードの選択を受け付け、作成手段は静止画撮像モードの下で捉えられたシーンを表す静止画像を静止画撮像モードと並列する動画撮像モードの下で捉えられたシーンを表す動画像に割り当てる割り当て手段(S41)を含む。
【００１１】
より好ましくは、静止画像モードの下でシーンが捉えられるタイミングで第１発光手段を停止する停止手段(S63)がさらに備えられる。
【００１２】
好ましくは、静止画撮像モードの選択に対応して第１発生手段を駆動する第３駆動手段(S71~S73)がさらに備えられる。
【００１３】
この発明に従う撮像制御プログラムは、互いに異なる態様で発光する複数の発光手段(38, 40)、および複数の発光手段にそれぞれ対応する複数の光学系(121a~122a, 121b~122b)を備える電子カメラ(10)のプロセッサ(34)に、互いに異なる態様でシーンを捉える複数の撮像モードの中から所望の撮像モードを選択する選択ステップ(S17, S31)、複数の発光手段のうち選択ステップによって選択された撮像モードに対応する発光手段を駆動する駆動ステップ(S55, S65)、および複数の光学系のうち駆動ステップによって駆動された発光手段に対応する光学系を経由した光学像に基づいて電子画像を作成する作成ステップ(S35~S41)を実行させるための、撮像制御プログラムである。
【００１４】
この発明に従う撮像制御方法は、互いに異なる態様で発光する複数の発光手段(38, 40)、および複数の発光手段にそれぞれ対応する複数の光学系(121a~122a, 121b~122b)を備える電子カメラ(10)によって実行される撮像制御方法であって、互いに異なる態様でシーンを捉える複数の撮像モードの中から所望の撮像モードを選択する選択ステップ(S17, S31)、複数の発光手段のうち選択ステップによって選択された撮像モードに対応する発光手段を駆動する駆動ステップ(S55, S65)、および複数の光学系のうち駆動ステップによって駆動された発光手段に対応する光学系を経由した光学像に基づいて電子画像を作成する作成ステップ(S35~S41)を備える。
【００１５】
この発明に従う外部制御プログラムは、互いに異なる態様で発光する複数の発光手段(38, 40)、複数の発光手段にそれぞれ対応する複数の光学系(121a~122a, 121b~122b)、およびメモリ(32)に保存された内部制御プログラムに従う処理を実行するプロセッサ(34)を備える電子カメラ(10)に供給される外部制御プログラムであって、互いに異なる態様でシーンを捉える複数の撮像モードの中から所望の撮像モードを選択する選択ステップ(S17, S31)、複数の発光手段のうち選択ステップによって選択された撮像モードに対応する発光手段を駆動する駆動ステップ(S55, S65)、および複数の光学系のうち駆動ステップによって駆動された発光手段に対応する光学系を経由した光学像に基づいて電子画像を作成する作成ステップ(S35~S41)を内部制御プログラムと協働してプロセッサに実行させるための、外部制御プログラムである。
【００１６】
この発明に従う電子カメラ(10)は、互いに異なる態様で発光する複数の発光手段(38, 40)、複数の発光手段にそれぞれ対応する複数の光学系(121a~122a, 121b~122b)、外部制御プログラムを取り込む取り込み手段(42)、および取り込み手段によって取り込まれた外部制御プログラムとメモリ(32)に保存された内部制御プログラムとに従う処理を実行するプロセッサ(34)を備える電子カメラであって、外部制御プログラムは、互いに異なる態様でシーンを捉える複数の撮像モードの中から所望の撮像モードを選択する選択ステップ(S17, S31)、複数の発光手段のうち選択ステップによって選択された撮像モードに対応する発光手段を駆動する駆動ステップ(S55, S65)、および複数の光学系のうち駆動ステップによって駆動された発光手段に対応する光学系を経由した光学像に基づいて電子画像を作成する作成ステップ(S35~S41)を内部制御プログラムと協働して実行するプログラムに相当する。
【発明の効果】
【００１７】
この発明によれば、互いに異なる態様でシーンを捉える複数の撮像モードと互いに異なる態様で発光する複数の発光手段とが準備され、選択された撮像モードに対応する発光手段が駆動される。電子画像は、駆動された発光手段に対応する光学系を経由した光学像に基づいて作成される。これによって、電子画像の品質が向上する。
【００１８】
この発明の上述の目的，その他の目的，特徴および利点は、図面を参照して行う以下の実施例の詳細な説明から一層明らかとなろう。
【図面の簡単な説明】
【００１９】
【図１】この発明の一実施例の基本的構成を示すブロック図である。
【図２】この発明の一実施例の構成を示すブロック図である。
【図３】図２実施例の外観を示す斜視図である。
【図４】図２実施例によって捉えられるシーンの一例を示す図解図である。
【図５】図２実施例に適用される光学／撮像系の構成の一例を示す図解図である。
【図６】撮像面における評価エリアＥＶＡの割り当て状態の一例を示す図解図である。
【図７】図２実施例に適用されるＣＰＵの動作の一部を示すフロー図である。
【図８】図２実施例に適用されるＣＰＵの動作の他の一部を示すフロー図である。
【図９】図２実施例に適用されるＣＰＵの動作のその他の一部を示すフロー図である。
【図１０】図２実施例に適用されるＣＰＵの動作のさらにその他の一部を示すフロー図である。
【図１１】図２実施例に適用されるＣＰＵの動作の他の一部を示すフロー図である。
【図１２】この発明の他の実施例に適用されるＣＰＵの動作の一部を示すフロー図である。
【図１３】この発明の他の実施例の構成を示すブロック図である。
【発明を実施するための形態】
【００２０】
以下、この発明の実施の形態を図面を参照しながら説明する。
［基本的構成］
【００２１】
図１を参照して、この実施例の電子カメラは、基本的に次のように構成される。複数の発光手段１，１，…は、互いに異なる態様で発光する。複数の光学系２，２，…は、複数の発光手段１，１，…にそれぞれ対応する。選択手段３は、互いに異なる態様でシーンを捉える複数の撮像モードの中から所望の撮像モードを選択する。駆動手段４は、複数の発光手段１，１，…のうち選択手段３によって選択された撮像モードに対応する発光手段１を駆動する。作成手段５は、複数の光学系２，２，…のうち駆動手段４によって駆動された発光手段１に対応する光学系２を経由した光学像に基づいて電子画像を作成する。
【００２２】
互いに異なる態様でシーンを捉える複数の撮像モードと互いに異なる態様で発光する複数の発光手段１，１，…とが準備され、選択された撮像モードに対応する発光手段１が駆動される。電子画像は、駆動された発光手段１に対応する光学系２を経由した光学像に基づいて作成される。これによって、電子画像の品質が向上する。
［実施例］
【００２３】
図２を参照して、この実施例のディジタルカメラ１０は、共通のシーンを捉える光学／撮像系１２ａおよび１２ｂを含む。電源が投入されると、ＣＰＵ３４は、撮像タスクの下で光学／撮像系１２ａおよび１２ｂを起動する。光学／撮像系１２ａおよび１２ｂのいずれも、ＳＧ（Signal Generator）１８から周期的に出力される垂直同期信号Ｖｓｙｎｃに応答して、シーンを表す生画像データを繰り返し出力する。
【００２４】
図３に示すように、光学／撮像系１２ａはカメラ筐体ＣＢ１の前面の中央やや上部に固定的に設けられ、光学撮像系１２ｂはカメラ筐体ＣＢ１の前面の右側やや上部に固定的に設けられる。また、後述するビデオライト３８は光学／撮像系１２ａの近傍に設けられ、後述するストロボ４０は光学／撮像系１２ｂの近傍に設けられる。つまり、ビデオライト３８は光学／撮像系１２ａに割り当てられ、ストロボ４０は光学／撮像系１２ｂに割り当てられる。
【００２５】
ここで、光学／撮像系１２ａおよび１２ｂはそれぞれ光軸ＡＸ１およびＡＸ２を有し、カメラ筐体ＣＢ１の底面から光軸ＡＸ１までの距離（＝Ｈ１）はカメラ筐体ＣＢ１の底面から光軸ＡＸ２までの距離（＝Ｈ２）と一致する。また、水平方向における光軸ＡＸ１およびＡＸ２の間隔（＝Ｗ１）は、人間の両目の間隔を考慮して６ｃｍ程度に設定される。
【００２６】
したがって、カメラ筐体ＣＢ１の前方に図４に示すシーンが広がっているとき、光学／撮像系１２ａは視野ＶＦ＿Ｒに属するシーンを捉える一方、光学／撮像系１２ｂは視野ＶＦ＿Ｌに属するシーンを捉える。光学／撮像系１２ａおよび１２ｂはカメラ筐体ＣＢ１において互いに同じ高さに設けられるため、視野ＶＦ＿ＲおよびＶＦ＿Ｌの水平位置は僅かにずれるものの、視野ＶＦ＿ＲおよびＶＦ＿Ｌの垂直位置は互いに一致する。
【００２７】
図２に戻って、光学／撮像系１２ａから出力された生画像データは信号処理回路１４ａに与えられ、光学／撮像系１２ｂから出力された生画像データは信号処理回路１４ｂに与えられる。信号処理回路１４ａおよび１４ｂの各々は、与えられた生画像データに色分離，白バランス調整，ＹＵＶ変換などの処理を施し、ＹＵＶ形式の画像データをメモリ制御回路２０を通してＳＤＲＡＭ２２に書き込む。
【００２８】
光学／撮像系１２ａおよび１２ｂの一方は動画撮像モードに対応し、光学／撮像系１２ａおよび１２ｂの他方は静止画撮像モードに対応する。以下では、動画撮像モードに対応する光学／撮像系を“光学／撮像系ＭＶ”と定義し、静止画撮像モードに対応する光学／撮像系を“光学／撮像系ＳＴＬ”と定義する。
【００２９】
電源が投入された当初、ＣＰＵ３４は、撮像タスクと並列する設定制御タスクの下で、光学／撮像系１２ａおよび１２ｂの役割を初期化する。光学／撮像系１２ａは“光学／撮像系ＭＶ”として設定され、光学／撮像系１２ｂは“光学／撮像系ＳＴＬ”として設定される。初期化が完了すると、光学／撮像系１２ａおよび１２ｂによって捉えられるシーンの照度が後述する輝度評価値に基づいて算出され、算出された照度の大きさおよび／またはビデオライト３８の状態に応じて異なる要領で光学／撮像系１２ａおよび１２ｂの役割が設定される。
【００３０】
ビデオライト３８には点灯／消灯を制御するための基準値ＲＥＦ１が割り当てられ、ストロボ４０には発光／非発光を制御するための基準値ＲＥＦ２が割り当てられる。ここで、基準値ＲＥＦ２は基準値ＲＥＦ１よりも大きい。
【００３１】
照度が基準値ＲＥＦ２以下であれば、ビデオライト３８および／またはストロボ４０が必要であるとして、光学／撮像系１２ａが“光学／撮像系ＭＶ”として設定され、光学／撮像系１２ｂが“光学／撮像系ＳＴＬ”として設定される。また、現時点でビデオライト３８が点灯中である場合も、光学／撮像系１２ａが“光学／撮像系ＭＶ”として設定され、光学／撮像系１２ｂが“光学／撮像系ＳＴＬ”として設定される。
【００３２】
これに対して、照度が基準値ＲＥＦ２を上回り、かつビデオライト３８が消灯中であれば、ビデオライト３８およびストロボ４０のいずれも必要ではないとして、撮像設定スイッチ３６ｓｗの操作に応答して光学／撮像系１２ａおよび１２ｂの役割が切り換えられる。
【００３３】
具体的には、撮像設定スイッチ３６ｓｗが“ＳＴ１”に設定されていれば、光学／撮像系１２ａが“光学／撮像系ＭＶ”として設定され、光学／撮像系１２ｂが“光学／撮像系ＳＴＬ”として設定される。一方、撮像設定スイッチ３６ｓｗが“ＳＴ２”に設定されていれば、光学／撮像系１２ａが“光学／撮像系ＳＴＬ”として設定され、光学／撮像系１２ｂが“光学／撮像系ＭＶ”として設定される。
【００３４】
ＳＤＲＡＭ２２において、光学／撮像系ＭＶで捉えられたシーンを表す画像データは動画エリア２２ｍｖに格納される一方、光学／撮像系ＳＴＬで捉えられたシーンを表す画像データは静止画エリア２２ｓｔｌに格納される。ＬＣＤドライバ２４は、動画エリア２２ｍｖに格納された画像データをメモリ制御回路２０を通して繰り返し読み出し、読み出された画像データに基づいてＬＣＤモニタ２６を駆動する。この結果、光学／撮像系ＭＶで捉えられたシーンを表すリアルタイム動画像（スルー画像）がモニタ画面に表示される。
【００３５】
図５を参照して、光学／撮像系１２ａは、ドライバ１２４ａ，１２５ａおよび１２６ａによってそれぞれ駆動されるフォーカスレンズ１２１ａ，絞り機構１２２ａおよび撮像装置１２３ａを有する。シーンを表す光学像は、フォーカスレンズ１２１ａおよび絞り機構１２２ａを経由して撮像装置１２３ａの撮像面に照射される。ドライバ１２６ａは、ＳＧ１８から与えられた垂直同期信号Ｖｓｙｎｃに応答して撮像面を露光し、これによって生成された電荷をラスタ走査態様で読み出す。撮像装置１２３ａからは、読み出された電荷に基づく生画像データが出力される。
【００３６】
なお、光学／撮像系１２ｂは、光学撮像系１２ａと同様であるため、各部材の参照番号に付された記号“ａ”を“ｂ”に代えることで、重複した説明を省略する。
【００３７】
撮像装置１２３ａおよび１２３ｂの各々の撮像面には、評価エリアＥＶＡが図６に示す要領で割り当てられる。図２に示すＡＥ／ＡＦ評価回路１６ａは、光学／撮像系１２ａで捉えられたシーンの明るさおよび鮮鋭度をそれぞれ示す輝度評価値およびフォーカス評価値を、信号処理回路１４ａによって生成されたＹＵＶ形式の画像データのうち評価エリアＥＶＡに属する一部の画像データに基づいて繰り返し作成する。
【００３８】
同様に、ＡＥ／ＡＦ評価回路１６ｂは、光学／撮像系１２ｂで捉えられたシーンの明るさおよび鮮鋭度をそれぞれ示す輝度評価値およびフォーカス評価値を、信号処理回路１４ｂによって生成されたＹＵＶ形式の画像データのうち評価エリアＥＶＡに属する一部の画像データに基づいて繰り返し作成する。
【００３９】
ＣＰＵ３４は、ＡＥ／ＡＦ評価回路１６ａおよび１６ｂの各々から出力された輝度評価値に基づく動画用ＡＥ処理を撮像タスクの下で実行し、適正ＥＶ値を算出する。算出された適正ＥＶ値を定義する絞り量はドライバ１２５ａおよび１２５ｂに設定され、算出された適正ＥＶ値を定義する露光時間はドライバ１２６ａおよび１２６ｂに設定される。この結果、信号処理回路１４ａおよび１４ｂの各々から出力される画像データの輝度が適正に調整される。
【００４０】
ＣＰＵ３４はまた、ＡＥ／ＡＦ評価回路１６ａおよび１６ｂの各々から出力されたフォーカス評価値に基づく動画用ＡＦ処理を撮像タスクの下で実行する。ドライバ１２４ａおよび１２４ｂは、ＣＰＵ３４の制御の下でフォーカスレンズ１２１ａおよび１２１ｂを合焦点が存在する方向に移動させる。この結果、信号処理回路１４ａおよび１４ｂの各々から出力される画像データの鮮鋭度が適正に調整される。
【００４１】
キー入力装置３６に設けられたムービボタン３６ｍｖが操作されると、ＣＰＵ３４は、動画撮像モードが選択されたとみなし、動画記録処理の実行を撮像タスクの下でメモリＩ／Ｆ２８に命令する。メモリＩ／Ｆ２８は、新規の動画ファイルを記録媒体３０に作成し（作成した動画ファイルはオープンされる）、ＳＤＲＡＭ２２の動画エリア２２ｍｖに格納された画像データをメモリ制御回路２０を通して繰り返し読み出し、読み出された画像データをオープン状態の動画ファイルに収める。
【００４２】
ムービボタン３６ｍｖが再度操作されると、ＣＰＵ３４は、動画撮像モードの選択が解除されたとみなし、動画記録処理の停止を撮像タスクの下でメモリＩ／Ｆ２８に命令する。メモリＩ／Ｆ２８は、動画エリア２２ｍｖからの画像データの読み出しを終了し、オープン状態の動画ファイルをクローズする。これによって、所望のシーンを継続的に表す動画像がファイル形式で記録媒体３０に記録される。
【００４３】
キー入力装置３６に設けられたシャッタボタン３６ｓｈの操作は、このような動画記録処理の実行／中断に関わらず撮像タスクの下で受け付けられる。ＣＰＵ３４は、シャッタボタン３６ｓｈが半押しされたとき、光学／撮像系ＳＴＬに対応するＡＥ／ＡＦ評価回路から出力された輝度評価値およびフォーカス評価値に基づく静止画用ＡＥ処理および静止画用ＡＦ処理を撮像タスクの下で実行する。
【００４４】
静止画用ＡＥ処理の結果、最適ＥＶ値を定義する絞り量および露光時間が算出される。算出された絞り量は光学／撮像系ＳＴＬに設けられた絞り調整用のドライバ（１２５ａまたは１２５ｂ）に設定され、算出された露光時間は光学／撮像系ＳＴＬに設けられた画像出力用のドライバ（１２６ａまたは１２６ｂ）に設定される。これによって、光学／撮像系ＳＴＬの出力に基づく画像データの輝度が最適値に調整される。
【００４５】
また、静止画用ＡＦ処理の結果、光学／撮像系ＳＴＬに設けられたフォーカスレンズ（１２１ａまたは１２１ｂ）の配置が合焦点の近傍で微調整される。これによって、光学／撮像系ＳＴＬの出力に基づく画像データの鮮鋭度が最適値に調整される。
【００４６】
なお、静止画用ＡＥ処理および静止画用ＡＦ処理が実行される前に動画用ＡＥ処理および動画用ＡＦ処理が繰り返し実行されるため、静止画用ＡＥ処理および静止画用ＡＦ処理は短時間で完了する。
【００４７】
シャッタボタン３６ｓｈが全押しされると、ＣＰＵ３４は、静止画撮像モードが選択されたとみなし、撮像タスクの下で静止画取り込み処理を実行する。この結果、静止画エリア２２ｓｔｌに格納された最新の１フレームの画像データが退避エリア２２ｓｖに退避される。ＣＰＵ３４は続いて、静止画記録処理の実行を撮像タスクの下でメモリＩ／Ｆ２８に命令する。
【００４８】
メモリＩ／Ｆ２８は、新規の静止画ファイルを記録媒体３０に作成し（作成した静止画ファイルはオープンされる）、退避エリア２２ｓｖに退避された画像データをメモリ制御回路２０を通して繰り返し読み出し、読み出された画像データをオープン状態の静止画ファイルに収める。画像データの格納が完了すると、メモリＩ／Ｆ２８はオープン状態の静止画ファイルをクローズする。これによって、所望のシーンを瞬間的に表す静止画像がファイル形式で記録媒体３０に記録される。
【００４９】
動画記録処理の途中で静止画記録処理が実行されたとき、ＣＰＵ３４は、動画記録処理によって作成された動画ファイルと静止画記録処理によって作成された静止画ファイルとの間でリンクを形成する。具体的には、ＣＰＵ３４は、動画ファイルのファイル名が静止画ファイルのヘッダに記述し、静止画ファイルのファイル名が動画ファイルのファイル名に記述する。これによって、共通のシーンを表す動画像および静止画像を並列状態ないし合成状態して再生するなど、再生画像の表現の多様性が向上する。
【００５０】
ＣＰＵ３４はまた、設定制御タスクおよび撮像タスクと並列する発光制御タスクの下で、動画記録処理の実行中におけるビデオライト３８の点灯／消灯と、シャッタボタン３６ｓｈの全押し時点でのストロボ４０の発光／非発光を制御する。制御にあたっては、ＡＥ／ＡＦ評価回路１６ａおよび１６ｂからの輝度評価値に基づいて算出された照度が参照される。
【００５１】
ビデオライト３８は、照度が基準値ＲＥＦ１以下であるとき点灯される一方、照度が基準値ＲＥＦ１を上回るとき消灯される。また、ストロボ４０は、照度が基準値ＲＥＦ２以下のとき発光される一方、照度が基準値ＲＥＦ２を上回るとき非発光とされる。なお、ストロボ４０を発光させるときにビデオライト３８が点灯していれば、ビデオライト３８は、ストロボ４０が発光されるタイミングで一時的に消灯される。これによって、動画ファイルおよび静止画ファイルの各々に収められた画像データの品質が向上する。
【００５２】
ＣＰＵ３４は、図７に示す設定制御タスク，図８〜図１０に示す撮像タスク，および図１１に示す発光制御タスクを、マルチタスクＯＳの制御の下で並列的に実行する。
【００５３】
図７を参照して、ステップＳ１では光学／撮像系１２ａおよび１２ｂの役割を初期化する。光学／撮像系１２ａは“光学／撮像系ＭＶ”として設定され、光学／撮像系１２ｂは“光学／撮像系ＳＴＬ”として設定される。ステップＳ３では、光学／撮像系１２ａおよび１２ｂによって捉えられるシーンの照度が基準値ＲＥＦ１以下であるか否かを、ＡＥ／ＡＦ評価回路１６ａおよび１６ｂから出力された輝度評価値に基づいて判別する。また、ステップＳ８では、ビデオライト４０が点灯中であるか否かを判別する。
【００５４】
ステップＳ３の判別結果およびステップＳ８の判別結果のいずれか一方がＹＥＳであればステップＳ５〜Ｓ７の処理を経てステップＳ３に戻り、ステップＳ３の判別結果及びステップＳ８の判別結果のいずれもがＮＯであればステップＳ９の処理を経てステップＳ３に戻る。ステップＳ５では光学／撮像系１２ａを“光学／撮像系ＭＶ”として設定し、ステップＳ７では光学／撮像系１２ｂを“光学／撮像系ＳＴＬ”として設定する。ステップＳ９では、撮像設定スイッチ３６ｓｗの状態に従って光学／撮像系１２ａおよび１２ｂの役割を設定する。
【００５５】
ステップＳ９の処理の結果、撮像設定スイッチ３６ｓｗが“ＳＴ１”に設定されていれば、光学／撮像系１２ａが“光学／撮像系ＭＶ”として設定され、光学／撮像系１２ｂが“光学／撮像系ＳＴＬ”として設定される。撮像設定スイッチ３６ｓｗが“ＳＴ２”に設定されていれば、光学／撮像系１２ａが“光学／撮像系ＳＴＬ”として設定され、光学／撮像系１２ｂが“光学／撮像系ＭＶ”として設定される。
【００５６】
図８を参照して、ステップＳ１１では光学／撮像系ＭＶおよびＳＴＬを起動する。この結果、光学／撮像系ＭＶで捉えられたシーンを表す画像データがＳＤＲＡＭ２２の動画エリア２２ｍｖに書き込まれ、光学／撮像系ＳＴＬで捉えられたシーンを表す画像データがＳＤＲＡＭ２２の静止画エリア２２ｓｔｌに書き込まれ、そして動画エリア２２ｍｖに格納された画像データに基づくスルー画像がＬＣＤモニタ２６に表示される。
【００５７】
ステップＳ１３では動画用ＡＥ処理を実行し、ステップＳ１５では動画用ＡＦ処理を実行する。ステップＳ１３の処理の結果、信号処理回路１４ａおよび１４ｂの各々から出力される画像データの輝度が適正に調整される。また、ステップＳ１５の処理の結果、信号処理回路１４ａおよび１４ｂの各々から出力される画像データの鮮鋭度が適正に調整される。
【００５８】
ステップＳ１７ではムービボタン３６ｍｖが操作されたか否かを判別し、判別結果がＹＥＳであればステップＳ１９に進む。ステップＳ１９では動画処理が実行中であるか否かを判別し、判別結果がＹＥＳであれば動画撮像モードが選択されたものとみなしてステップＳ２１で動画記録処理を開始する一方、判別結果がＮＯであれば動画撮像モードの選択が解除されたものとみなしてステップＳ２３で動画記録処理を中止する。ステップＳ２１またはＳ２３の処理が完了すると、ステップＳ１３に戻る。
【００５９】
ステップＳ２１およびＳ２３の処理の結果、ムービボタン３６ｍｖの１回目の操作から２回目の操作までの期間に動画エリアＭＶに取り込まれた画像データが動画ファイル形式で記録媒体３０に記録される。
【００６０】
ステップＳ１７の判別結果がＮＯであれば、シャッタボタン３６ｓｈが半押しされたか否かをステップＳ２５で判別する。判別結果がＮＯであればステップＳ１３に戻り、判別結果がＹＥＳであればステップＳ２７に進む。ステップＳ２７では静止画用ＡＥ処理を実行し、ステップＳ２９では静止画用ＡＦ処理を実行する。この結果、光学／撮像系ＳＴＬの出力に基づく画像データの輝度および鮮鋭度が最適値に調整される。
【００６１】
ステップＳ３１ではシャッタボタン３６ｓｈが全押しされたか否かを判別し、ステップＳ３３ではシャッタボタン３６ｓｈの操作が解除されたか否かを判別する。ステップＳ３３の判別結果がＹＥＳであれば、ステップＳ１３に戻る。ステップＳ３１の判別結果がＹＥＳであれば、静止画撮像モードが選択されたものとみなしてステップＳ３５に進む。
【００６２】
ステップＳ３５では静止画取り込み処理を実行し、ステップＳ３７では静止画記録処理を実行する。ステップＳ３５の処理の結果、静止画エリア２２ｓｔｌに格納された最新の１フレームの画像データが退避エリア２２ｓｖに退避される。また、ステップＳ３７の処理の結果、退避された画像データを収めた静止画ファイルが記録媒体３０に記録される。
【００６３】
ステップＳ３９では動画記録処理が実行中であるか否かを判別し、判別結果がＮＯであればそのままステップＳ１３に戻る一方、判別結果がＹＥＳであればステップＳ４１の処理を経てステップＳ１３に戻る。ステップＳ４１では、動画記録処理によって作成された動画ファイルと静止画記録処理によって作成された静止画ファイルとの間でリンクを形成するべく、動画ファイルのファイル名が静止画ファイルのヘッダに記述し、静止画ファイルのファイル名が動画ファイルのファイル名に記述する。
【００６４】
図１１を参照して、ステップＳ５１では動画記録処理が実行中であるか否かを判別し、ステップＳ５３では照度が基準値ＲＥＦ１以下であるか否かをＡＥ／ＡＦ評価回路１６ａおよび１６ｂから出力された輝度評価値に基づいて判別する。ステップＳ５１の判別結果およびステップＳ５３の判別結果のいずれもがＹＥＳであれば、ステップＳ５５でビデオライト３８を点灯する。これに対して、ステップＳ５１の判別結果またはステップＳ５３の判別結果がＮＯであれば、ステップＳ５７でビデオライト３８を消灯する。
【００６５】
ステップＳ５５またはＳ５７の処理が完了すると、シャッタボタン３６ｓｈが全押しされたか否かをステップＳ５９で判別し、照度が基準値ＲＥＦ２以下であるか否かをステップＳ６１で判別する。いずれか一方の判別結果がＮＯであればそのままステップＳ５１に戻る一方、両方の判別結果がＹＥＳであればステップＳ６３でビデオライト３８を消灯し、ステップＳ６５でストロボ４０を発光させてからステップＳ５１に戻る。
【００６６】
以上の説明から分かるように、光学／撮像系１２ａおよび１２ｂは、互いに異なる態様で発光するビデオライト３８およびストロボ４０にそれぞれ対応する。ＣＰＵ３４は、動画撮像モードおよび静止画撮像モードのうち所望の撮像モードを選択し(S17, S31)、ビデオライト３８およびストロボ４０のうち選択された撮像モードに対応する発光装置を駆動し(S55, S65)、そして駆動された発光装置に対応する光学／撮像系で捉えられたシーンを表す画像データを記録する(S35~S37)。
【００６７】
このように、互いに異なる態様でシーンを捉える複数の撮像モード（動画撮像モードよよび静止画撮像モード）と互いに異なる態様で発光する複数の発光装置（ビデオライト３８およびストロボ４０）とが準備され、選択された撮像モードに対応する発光装置が駆動される。記録すべき画像データは、駆動された発光装置に対応する光学／撮像系で捉えられたシーンを表す。これによって、幅広い撮像条件に対応でき、ひいては記録画像の品質を高めることができる。
【００６８】
なお、この実施例では、照度が基準値ＲＥＦ１以下の場合にビデオライト３８を点灯する一方、照度が基準値ＲＥＦ１を上回る場合にビデオライト３８を消灯するようにしている（図１１のステップＳ５３〜Ｓ５７参照）。しかし、シャッタボタン３６ｓｈの半押しに応答した静止画ＡＦ処理の実行タイミングで、照度に関係なくビデオライト３８を一時的に点灯させるようにしてもよい。この場合、シャッタボタン３６ｓｈが半押しされたか否かを判別するステップＳ７１と判別結果がＮＯからＹＥＳに更新されたときにビデオライト３８を点灯させるステップＳ７３とを図１１に示すステップＳ５５またはＳ５７の処理とステップＳ５９の処理との間に追加する必要がある（図１２参照）。これによって、ビデオライト３８をＡＦ処理の補助光として使用することができ、静止画ＡＦ処理の精度が向上する。
【００６９】
また、この実施例では、シャッタボタン３６ｓｈの全押しから指定時間が経過した時点で静止画取り込み処理を実行するタイマ撮像モードが設けられていない。しかし、タイマ撮像モードを準備し、ビデオライト３８の点滅によって静止画取り込み処理の実行タイミングを被写体に報知するようにしてもよい。
【００７０】
さらに、この実施例では、ストロボ４０の発光に起因する赤目の出現を回避するための対策が準備されていない。しかし、ストロボ４０を発光させる前にビデオライト４０を点滅させることによって赤目の出現を回避するようにしてもよい。
【００７１】
また、この実施例では、ビデオライト４０が点灯している状態でシャッタボタン３６ｓｈが全押しされたとき、ビデオライト４０を一時的に消灯してストロボ３８を発光させるようにしている（図１５のステップＳ５９〜Ｓ６５参照）。しかし、ストロボ３８の発光に関わらずビデオライト４０の点灯を継続するようにしてもよく、さらにはストロボ３８を発光させる時点でのビデオライト４０の点灯／消灯をユーザ設定に従って変更するようにしてもよい。
【００７２】
ただし、暗い場所でのシャッタボタン３６ｓｈの全押しに応答してストロボ３８およびビデオライト４０の両方を発光ないし点灯させるようにすれば、近距離の被写体の明るさはストロボ３８の発光によって確保され、中距離の被写体の明るさはビデオライト４０の点灯によって確保され、そして遠距離の被写体の明るさは露光時間の延長によって確保される。
【００７３】
さらに、この実施例では、数センチメートル〜十数センチメートルの被写体を静止画像として撮影するマクロ撮影モードが設けられていない。しかし、マクロ撮影モードを準備し、このモードが起動されたときにビデオライト４０を点灯させるようにしてもよい。
【００７４】
なお、この実施例では、マルチタスクＯＳおよびこれによって実行される複数のタスクに相当する制御プログラムは、フラッシュメモリ３２に予め記憶される。しかし、図１３に示すように通信Ｉ／Ｆ４２をディジタルカメラ１０に設け、一部の制御プログラムを内部制御プログラムとしてフラッシュメモリ３２に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００７５】
また、この実施例では、ＣＰＵ３４によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【００７６】
また、この実施例では、光学／撮像系１２ａおよび１２ｂの一方を動画撮像モードに対応付けるとともに、光学／撮像系１２ａおよび１２ｂの他方を静止画撮像モードに対応付け、一方の光学／撮像系の出力に基づいて動画ファイルを作成し、他方の光学／撮像系の出力に基づいて静止画ファイルを作成するようにしている。しかし、動画撮像モードまたは静止画撮像モードとは別に３次元画像モードを準備し、光学／撮像系１２ａおよび１２ｂの両方の出力に基づいて３次元画像データを作成し、作成した３次元画像データを３次元画像ファイルに収めるようにしてもよい。このとき、３次元画像ファイルは静止画ファイルおよび動画ファイルのいずれでもよい。
【符号の説明】
【００７７】
１０  …ディジタルカメラ
１２ａ，１２ｂ  …光学／撮像系
１４ａ，１４ｂ  …信号処理回路
３４  …ＣＰＵ
３８  …ビデオライト
４０  …ストロボ
【図１】
2012227894.tif 000003
【図２】
2012227894.tif 000004
【図３】
2012227894.tif 000005
【図４】
2012227894.tif 000006
【図５】
2012227894.tif 000007
【図６】
2012227894.tif 000008
【図７】
2012227894.tif 000009
【図８】
2012227894.tif 000010
【図９】
2012227894.tif 000011
【図１０】
2012227894.tif 000012
【図１１】
2012227894.tif 000013
【図１２】
2012227894.tif 000014
【図１３】
2012227894.tif 000015